(57)【要約】【課題】ディスク反射率のバラツキに影響されることなくディスクの種類を精度良く判別することができる光ディスク装置を提供する。【解決手段】判別対象のディスクが相変化ディスクであることが分かっている場合、ユーザはスイッチを押してその旨を示す通知をシステム制御部１へ与える。システム制御部は、ユーザからの上記通知の有無に応じて、判別対象であるディスクが相変化ディスクに属するものであるか否かを判別し、この判別結果と、続いて行われるディスク厚に基づくＣＤかＤＶＤかの判別結果とから、ディスクの種類のより詳細な判別を行う。【選択図】図２
2005235350.tif 000002
【特許請求の範囲】
【請求項１】
ディスクの判別を補助するための通知を受付可能な入力部と、
前記入力部からの前記通知の有無に応じて、判別対象のディスクの種類の属性を特定する属性特定手段と、
少なくとも前記属性特定手段により特定された属性に基づいて前記ディスクの判別を行うディスク判別手段と
を具備することを特徴とする光ディスク装置。
【請求項２】
前記属性特定手段により特定可能なディスクの種類の属性が相変化ディスクであるか否かを示す属性である
ことを特徴とする請求項１に記載の光ディスク装置。
【請求項３】
判別対象である前記ディスクがＣＤとＤＶＤのどちらに属するものであるかを判別するＣＤ／ＤＶＤ判別手段をさらに有し、
前記ディスク判別手段は、前記ＣＤ／ＤＶＤ判別手段の判別結果と前記属性特定手段により特定された属性とに基づいて前記ディスクの判別を行う
ことを特徴とする請求項２に記載の光ディスク装置。
【請求項４】
前記入力部が、ユーザにより操作されることが可能な操作部を含むことを特徴とする請求項１または２に記載の光ディスク装置。
【請求項５】
ディスクの判別を補助するための通知を受付可能な入力部を設けておき、
前記入力部からの前記通知の有無に応じて、判別対象のディスクの種類の属性を特定し、少なくともこの特定された属性に基づいて前記ディスクの判別を行う
ことを特徴とする光ディスク装置のディスク判別方法。
【発明の詳細な説明】
【技術分野】
【０００１】
本発明は、光ディスク装置に係り、特に複数の種類の光ディスクに対応した光ディスク装置とこれに適用されるディスク判別方法に関する。
【背景技術】
【０００２】
近年、光ディスクは急速にその種類を増やし、ＣＤ（Compact Disc）に属するものとしてＣＤ−ＲＯＭ（CD-Read Only Memory）、ＣＤ−Ｒ（CD-Recordable）、ＣＤ−ＲＷ（CD-ReWritble）が、また、ＤＶＤ（Digital Versatile Disc）に属するものとしてＤＶＤ−ＲＯＭ（DVD-Read Only Memory）、ＤＶＤ−Ｒ（DVD-Recordable）、ＤＶＤ−ＲＷ（DVD-ReWritble）、ＤＶＤ−ＲＡＭ（DVD-Random Access Memory）、ＤＶＤ＋Ｒ、ＤＶＤ＋ＲＷなどがある。このような光ディスクの種類の増加に伴い、光ディスク装置は、複数の種類のディスクに対応したのものが主流となってきている。
【０００３】
このようなマルチタイプの光ディスク装置では、挿入された光ディスクの種類を実際の読み書きの動作が開始される前に判別し、判別した光ディスクの種類に応じて、ＲＦアンプのゲインやサーボゲインなどのパラメータの設定を行っている。
【０００４】
たとえば、ＣＤとＤＶＤとはディスク厚の違いによって判別可能である。すなわち、ＣＤの厚さは規格上１．２ｍｍとされ、これに対してＤＶＤは単層の場合で規格上０．６ｍｍとＣＤの半分となっており、バラツキを見込んでも、両タイプのディスクの判別はほぼ支障無く行うことが可能である。
【０００５】
また、ＣＤ−ＲＯＭ／ＣＤ−Ｒと、相変化ディスクであるＣＤ−ＲＷとでは、ディスクの構造の違いにより反射率が異なる。これはＣＤ−ＲＯＭ／ＣＤ−Ｒがディスク基板の上に記録層があるのに対して、ＣＤ−ＲＷはディスク基板の上に相変化記録層を誘電体層で挟んだ構造であるが故である。たとえば、ＣＤ−ＲＷの反射率はＣＤ−ＲＯＭ／ＣＤ−Ｒに比べ２０％ほど低い。このことは、ＤＶＤ−ＲＯＭ／ＤＶＤ−Ｒ／ＤＶＤ＋Ｒと、相変化ディスクであるＤＶＤ−ＲＷ／ＤＶＤ−ＲＡＭ／ＤＶＤ＋ＲＷとの関係においても然りである。そこで、ＣＤとＤＶＤとの判別をディスク厚に基づいて行う方法（例えば特許文献１を参照。）、さらにディスクの反射率を基にディスクの種類を相変化ディスクとそうでないものとに判別する方法が知られている（例えば特許文献２を参照。）。
【特許文献１】特開平１１−２８３３１９号公報
【特許文献２】特開２００３−１４１７２２号公報
【発明の開示】
【発明が解決しようとする課題】
【０００６】
しかしながら、流通している光ディスクの反射率にはかなりのバラツキがあることは事実である。図３は、流通しているＣＤ−ＲＯＭ、ＣＤ−ＲおよびＣＤ−ＲＷの反射率の分布を調査した結果である。この調査結果によれば、ディスクの反射率は広い範囲に分布しており、特にＣＤ−ＲとＣＤ−ＲＷの各反射率はラップしている部分が存在していることがわかる。ここで、反射率ＸがＣＤ−ＲとＣＤ−ＲＷとを判別するための境界とした場合、ＣＤ−ＲであるはずのディスクがＣＤ−ＲＷとして、また、ＣＤ−ＲＷであるはずのディスクがＣＤ−Ｒとして誤って判別されてしまう。
【０００７】
このように、ディスクの判別に失敗すると、光ディスク装置内のたとえばＲＦアンプのゲインやサーボゲインなどのパラメータが誤って設定されたままの状態で動作が進んでしまうおそれがあった。
【０００８】
本発明は、かかる実情に鑑み、ディスク反射率のバラツキに影響されることなくディスクの種類を精度良く判別することのできる光ディスク装置とディスク判別方法を提供しようとするものである。
【課題を解決するための手段】
【０００９】
上記の課題を解決するために、本発明の光ディスク装置は、ディスクの判別を補助するための通知を受付可能な入力部と、入力部からの通知の有無に応じて、判別対象のディスクの種類の属性を特定する属性特定手段と、少なくとも属性特定手段により特定された属性に基づいてディスクの判別を行うディスク判別手段とを具備することを特徴とする。
【００１０】
また、本発明において、属性特定手段により特定可能なディスクの種類の属性とは、そのディスクが相変化ディスクであるか否かを示す属性であるものとする。
【００１１】
さらに、本発明は、判別対象であるディスクがＣＤとＤＶＤのどちらに属するものであるかを判別するＣＤ／ＤＶＤ判別手段をさらに有し、ディスク判別手段は、ＣＤ／ＤＶＤ判別手段の判別結果と属性特定手段により特定された属性とに基づいてディスクの判別を行うように構成してもよい。
【００１２】
この発明では、判別対象のディスクがたとえば相変化ディスクなどの特定の属性を有するものであることをユーザが分かっている場合に、ユーザは入力部を通じて、ディスクの判別を補助するための通知を入力する。属性特定手段は、この通知の有無に応じて、判別対象のディスクの種類の属性を特定し、ディスク判別手段は、少なくともこの特定された属性に基づいてディスクの判別を行う。このディスクの判別は、より具体的には、判別対象であるディスクがＣＤとＤＶＤのどちらに属するものであるかを判別するＣＤ／ＤＶＤ判別手段の判別結果と、上記の属性特定結果とに基づいて行うことが可能である。したがって、これまでディスク判別でネックとなっていたディスク反射率に基づく判別が不要になり、ディスク反射率のバラツキに影響されることなくディスクの種類を精度良く判別することができる。
【発明の効果】
【００１３】
本発明の光ディスク装置およびディスク判別方法によれば、ディスク反射率のバラツキに影響されることなくディスクの種類を精度良く判別することができる。
【発明を実施するための最良の形態】
【００１４】
以下、本発明の実施の形態を図面に基づき説明する。
【００１５】
図１は、本発明の一実施形態に係る光ディスク装置の全体的な構成を示す図である。
【００１６】
同図に示すように、この光ディスク装置１００は、全体の動作を制御するシステム制御部１と、このシステム制御部１の制御用のプログラムや各種パラメータなどがファームウェアとして固定的に格納されたＲＯＭ２と、システム制御部１の作業領域として用いられるＲＡＭ３とを有している。
【００１７】
この光ディスク装置１００は、光ディスク（以下「ディスク」と略称する）Ｄに対する情報の書き込み及び読み出しを行う光ピックアップ４を有している。この光ピックアップ４は、レーザ光源と、４分割フォトディテクなどからなる光検出器と、レーザ光源の出射レーザをディスクＤの記録面に集光し、かつディスクＤの記録面からの反射光を光検出器の受光面に導く光学系など（図示せず）で構成されている。光学系は、対物レンズ、１／４波長板、偏向ビームスプリッタ、コリメータレンズなどで構成されている。対物レンズは、フォーカスサーボおよびトラッキングサーボ用の二軸アクチュエータ５によって二軸方向に駆動され、その位置が微調整可能とされている。また、この光ピックアップ４は、図示しない送り機構によってディスクＤ上のトラックを跨ぐ方向に搬送可能されている。
【００１８】
この光ディスク装置１００は、二軸アクチュエータ５を駆動するアクチュエータドライバ７、ディスクＤを回転駆動するディスクモータ６、ディスクモータ６を駆動するディスクモータドライバ８とを有している。サーボコントローラ９は、トラッキング、フォーカス、ディスク回転などの各種サーボのための処理と制御を行うコントローラである。
【００１９】
さらに、この光ディスク装置１００は、ＲＦアンプ１０、信号処理回路１１、誤り訂正・デスクランブル回路１２、パリティ生成・スクランブル回路１３、変調・ライトストラテジ回路１４、ウォブルＰＬＬ回路１５、光ピックアップ４内のレーザ光源を駆動するレーザ駆動回路１６、データバッファ１７、データバッファ１７に対するデータの読み書きを制御するデータバッファ回路１８などを備えて構成される。
【００２０】
光ピックアップ４の光検出器の出力は、ＲＦアンプ１０にて後段の処理に適したレベルの信号に増幅され、信号処理回路１１およびウォブルＰＬＬ回路１５に送られる。信号処理回路１１は、フォーカスエラー（ＦＥ）信号の生成（ＦＥ検出）、トラッキングエラー（ＴＥ）信号の生成（ＴＥ検出）、ＰＬＬ（ Phase Locked Loop）による読み出しクロックの生成（同期信号再生）、ＲＦ信号の二値化（データスライス）、たとえば８／１６変調データから８ビット単位のデータを復調するなどの信号処理を行う回路である。
【００２１】
ウォブルＰＬＬ回路１５は、ＲＦアンプ１０を通じて入力された、光検出器の４分割フォトディテクタの個々の出力から、ラジアル半面ずつの差信号を求めたものをウォブル信号として生成し、このウォブル信号から記録用のクロックやディスクＤ上のアドレスなどを生成する回路である。
【００２２】
信号処理回路１１にて生成されたフォーカスエラー信号、トラッキングエラー信号はサーボコントローラ９に供給され、サーボコントローラ９は、これらのエラー信号に基づいてアクチュエータドライバ７を制御することでフォーカスサーボおよびトラッキングサーボを行う。また、サーボコントローラ９は、ディスクＤをシステム制御部１から指定された所定の回転数で駆動するように、たとえば、ウォブルＰＬＬ回路１５にて生成されたウォブルクロック、あるいは信号処理回路１１により検出された同期信号などに基づいてディスクモータドライバ８を制御する。
【００２３】
読み出し時は、信号処理回路１１にて、ＲＦ信号が二値化され、二値化データから８／１６変調データに対する復調などが行われることで、８ビット単位のデータが得られる。このデータは、誤り訂正・デスクランブル回路１２にて誤り訂正およびデスクランブル処理が行われ、ホスト装置が扱うことの可能なデータとされ、データバッファ回路１８を介してデータバッファ１７に一旦蓄積された後、所定のブロック単位で、外部のホスト装置へ転送される。
【００２４】
また、記録時は、外部のホスト装置から転送されたデータがデータバッファ回路１８を介してデータバッファ１７に記録用のデータとして蓄えられる。データバッファ１７に蓄えられたデータは、データバッファ回路１８によって所定のブロック単位で読み出されて、パリティ生成・スクランブル回路１３へ送られる。パリティ生成・スクランブル回路１３では、記録用のデータに対して、誤り訂正用のパリティの付加およびスクランブル処理を行い、変調・ライトストラテジ回路１４へ送る。変調・ライトストラテジ回路１４は、パリティ付加およびスクランブルが施された８ビット単位のデータを、ウォブルＰＬＬ回路１５によって生成された記録用のクロックを用いて、たとえば８／１６変調方式などで変調した後、この変調データに応じて、記録レーザ光の照射時間を制御する信号波形を生成する。この信号波形の生成は、システム制御部１によって設定されたライトストレジ用のパラメータ（たとえばレーザパワー値、レーザ照射時間、照射タイミングなど）に基づいて行われる。このようにして生成された信号波形はレーザ駆動回路１６に送られる。レーザ駆動回路１６は、変調・ライトストラテジ回路１４からの信号波形に応じた駆動信号を生成してレーザ光源に供給する。これによってレーザ光源が駆動され、ディスクＤの記録面へのピット形成が行われる。
【００２５】
また、この光ディスク装置１００には、ディスクＤの判別を補助するための通知をシステム制御部１に与えるためのスイッチ１９が設けられている。スイッチ１９の状態を示す信号はインターフェース（Ｉ／Ｆ）部２１を通じてシステム制御部１へ与えられる。このスイッチ１９は、ユーザが、たとえばディスクＤのレーベル面などからそのディスクが相変化ディスクであることを認識したうえで操作されるものであり、これが押されると、システム制御部１に上記の通知が与えられる。なお、相変化ディスクに属するディスクにはＣＤ−ＲＷ、ＤＶＤ−ＲＷ、ＤＶＤ−ＲＡＭ、ＤＶＤ＋ＲＷなどがある。
【００２６】
さらに、この光ディスク装置１００には、ユーザからの上記の通知がシステムで受け入れられたことを表示するための手段としてＬＥＤ２０が設けられている。このＬＥＤ２０は、たとえば光ディスク装置１００の正面側などユーザの見やすい場所に配置されている。
【００２７】
システム制御部１は、ユーザからの上記の通知を受けると、ＬＥＤ２０を点灯させるようにＬＥＤ駆動回路２２を通じてＬＥＤ２０に駆動電流を供給する。さらに、システム制御部１は、ユーザからの上記通知の有無に応じて、判別対象であるディスクＤが相変化ディスクに属するものであるか否かを判別する。すなわち、ユーザからの上記通知があった場合にはディスクＤが相変化ディスクに属するものであることを判別し、通知がなければ、相変化ディスク以外のディスクたとえば読み出し専用ディスク、追記型ディスクに属するものであることを判別する。そして、この判別結果と、続いて行われるディスク厚に基づくＣＤかＤＶＤかの判別結果とから、ディスクＤの種類のより詳細な判別を行う。さらに、システム制御部１は、ユーザからの上記通知があった場合には、たとえば、ＲＦアンプ１０のゲイン、サーボゲインといったパラメータを相変化ディスクに最適な値に設定し、通知がない場合には読み出し専用ディスク、追記型ディスクに最適な値に設定するように制御を行う。
【００２８】
なお、スイッチ１９は、上記通知のための専用スイッチであることに限定されない。たとえば、ディスクＤをイジェクトする指令を与えるためのイジェクトスイッチなどの他のスイッチを上記の通知に併用してもよい。この場合、システム制御部１は、たとえば、スイッチが単に一度押された場合にはたとえばイジェクトなどの他の指示入力として受け付け、スイッチが一定時間内に複数回押されたことや、一定時間以上連続して押された場合にはこれを上記の通知として受け付けるようにすればよい。
【００２９】
次に、この光ディスク装置１００においてディスクを判別する動作を説明する。
【００３０】
図２は、このディスク判別の動作の流れを示すフローチャートである。
【００３１】
まず、ディスクが挿入される（ステップ２０１）。システム制御部１は、ディスクの挿入が完了したことを、たとえば、これを検知するメカニカルスイッチあるいは光スイッチなどからの検出信号により認識すると、タイマーを起動する。システム制御部１は、このタイマーの経過時間が一定時間に達するまでユーザからの上記通知を待つ（ステップ２０２）。
【００３２】
ここで、ユーザは、挿入したディスクが相変化ディスクであるならばスイッチ１９を操作してディスクの判別を補助するための通知をシステム制御部１に与える。スイッチ１９が操作されると、このことがインターフェース部２１を通じてシステム制御部１へ与えられる。システム制御部１は、この通知をタイマー経過時間が一定時間に達する前に受けたなら、これを有効な通知として受け付ける（ステップ２０２のＹＥＳ）。
【００３３】
システム制御部１は、ユーザからの上記の通知を受けると、直ちにＬＥＤ駆動回路２２を通じてＬＥＤ２０に、一定時間すなわちユーザが点灯を確認するのに十分な時間だけ駆動電流を供給し、ＬＥＤ２０を点灯させる（ステップ２０３）。
【００３４】
ユーザは、このＬＥＤ２０の点灯により通知が受け入れられたことを認識することができる。また、スイッチ１９の操作ミスなどによる通知のエラーをユーザが確認できるので、システム制御部１に確実に通知が与えられるまでユーザはスイッチ操作をやり直すことができる。
【００３５】
ＬＥＤ２０を点灯させた後、システム制御部１は、ＲＦアンプ１０のゲイン、サーボゲインといったパラメータを相変化ディスク用の最適値に設定する（ステップ２０４）。
【００３６】
続いて、システム制御部１は、上記通知により挿入ディスクが相変化ディスクに属するものであることを前提に、ディスク厚に基づくディスクの判別を行う（ステップ２０５，ステップ２０６）。ディスク厚は、たとえば、ディスク上に所定の光スポットの像がむすばれるように二軸アクチュエータを駆動したときの制御量などから求めることが可能である。もちろん、他の方法によっても構わない。ＣＤの厚さは規格上１．２ｍｍ、これに対してＤＶＤ（単層）の厚さは規格上０．６ｍｍとＣＤのほぼ２倍である。したがって、ディスク厚に基づく判別では十分高い精度でＣＤかＤＶＤかの判別を行うことが可能である。
【００３７】
このディスク厚に基づく判別によって挿入ディスクがＣＤであることが判別されたなら、この挿入ディスクはＣＤ系の相変化ディスクつまりＣＤ−ＲＷであることが最終的に判別される（ステップ２０７）。また、挿入ディスクがＤＶＤであることが判別されたなら、この挿入ディスクはＤＶＤ系の相変化ディスクつまりＤＶＤ−ＲＷ，ＤＶＤ＋ＲＷ，ＤＶＤ−ＲＡＭであることが最終的に判別される（ステップ２０８）。
【００３８】
また、タイマーの経過時間が一定時間に達するまでにユーザからの通知がなかった場合には（ステップ２０２のＮＯ）、システム制御部１は、ＲＦアンプ１０のゲイン、サーボゲインといったパラメータを読み出し専用ディスク、追記型ディスク用の最適値に設定する（ステップ２０９）。
【００３９】
続いて、システム制御部１は、挿入ディスクが読み出し専用ディスク、追記型ディスクに属するものであることを前提に、ディスク厚に基づくディスクの判別を行う（ステップ２１０，ステップ２１１）。このディスク厚に基づく判別によって挿入ディスクがＣＤであることが判別されたなら、この挿入ディスクはＣＤ系の読み出し専用ディスク、追記型ディスクつまりＣＤ−ＲＯＭ，ＣＤ−Ｒであることが最終的に判別される（ステップ２１２）。また、挿入ディスクがＤＶＤであることが判別されたなら、この挿入ディスクはＤＶＤ系の読み出し専用ディスク、追記型ディスクつまりＤＶＤ−ＲＯＭ，ＤＶＤ−Ｒ，ＤＶＤ＋Ｒ であることが最終的に判別される（ステップ２１３）。
【００４０】
以上のように本実施形態では、判別対象のディスクが相変化ディスクであることをユーザが分かっている場合に、ユーザはスイッチ１９を押してその旨を示す通知をディスクの判別を補助するための通知としてシステム制御部１へ与え得るものとなっている。システム制御部１は、ユーザからの上記通知の有無に応じて、判別対象であるディスクが相変化ディスクに属するものであるか否かを判別し、この判別結果と、続いて行われるディスク厚に基づくＣＤかＤＶＤかの判別結果とから、ディスクの種類のより詳細な判別を行う。したがって、ディスク判別でネックとなっていたディスク反射率に基づく判別が不要になり、ディスク反射率のバラツキに影響されることなくディスクを精度良く判別することができる。ユーザの操作負担は増えるものの、反射率のバラツキに起因してこれまで読み書きが不能に陥っていたディスクも確実に利用できるようになるので、トータル的にユーザの被る利益は大きいといえる。
【００４１】
以上本発明の実施形態を説明したが、本発明は、上述の実施形態にのみ限定されるものではなく、本発明の要旨を逸脱しない範囲内において種々変更を加え得ることは勿論である。
【図面の簡単な説明】
【００４２】
【図１】本発明の一実施形態に係る光ディスク装置の全体的な構成を示す図である。
【図２】本実施形態のディスク判別の動作の流れを示すフローチャートである。
【図３】流通ディスクの反射率の分布を調査した結果を示すグラフである。
【符号の説明】
【００４３】
１…システム制御部、２…ＲＯＭ、４…光ピックアップ、１０…ＲＦアンプ、１９…スイッチ、２０…ＬＥＤ、１００…光ディスク装置、Ｄ…ディスク
【図１】
2005235350.tif 000003
【図２】
2005235350.tif 000004
【図３】
2005235350.tif 000005